(57)【要約】【課題】  楽曲の演奏開始タイミングを制御することにより、質の高いサービスを行うと共に、カラオケ演奏装置を用いた歌唱の楽しさを十分に味わうことを可能とする。【解決手段】  予め通信が許可された通信端末３０からの信号を受信する通信端末信号受信手段１６と、通信端末３０からの信号を受信すると、次の楽曲の演奏開始を禁止すると共に、当該通信端末３０からの信号が途絶えると、次の楽曲の演奏開始を許可する演奏制御手段１８を備える。また、通信端末３０からの信号を受信している間の受信時間と、予め設定された曲間時間とを比較し、受信時間が曲間時間より短い場合には、曲間時間の経過を待って次の楽曲の演奏開始を許可してもよい。【選択図】  図１
2010008848.tif 000002
【特許請求の範囲】
【請求項１】
ルームサービスの提供タイミングに応じて、楽曲の演奏開始タイミングを制御可能なルームサービス対応演奏制御システムであって、
通信端末信号受信手段と、演奏制御手段とを備え、
前記通信端末信号受信手段は、予め通信が許可された通信端末からの信号を受信し、
前記演奏制御手段は、前記通信端末からの信号を受信すると、次の楽曲の演奏開始を禁止すると共に、前記通信端末からの信号が途絶えると、次の楽曲の演奏開始を許可する、
ことを特徴とするルームサービス対応演奏制御システム。
【請求項２】
前記演奏制御手段は、前記通信端末からの信号を受信している間の受信時間と、予め設定された曲間時間とを比較し、受信時間が曲間時間より短い場合には、曲間時間の経過を待って次の楽曲の演奏開始を許可する、
ことを特徴とする請求項１に記載のルームサービス対応演奏制御システム。
【発明の詳細な説明】
【技術分野】
【０００１】
本発明は、ルームサービスの提供タイミングに応じて、楽曲の演奏開始タイミングを制御可能なルームサービス対応演奏制御システムに関するものである。
【背景技術】
【０００２】
カラオケ演奏装置を設置したカラオケボックス等では、カラオケを楽しむだけではなく、飲食物のルームサービスを受ける場合がある。この場合、利用者から飲食物の注文があると、サービス提供者が飲食物を部屋まで運ぶが、カラオケ演奏中に給仕を行うと、歌唱の邪魔になったり、歌唱の雰囲気を損ねたり、部屋の扉を開閉する際に演奏音や歌唱音が室外に漏れて、他の利用者の迷惑になったりする。
【０００３】
そこで、ルームサービスの提供タイミングを適切なものとするための技術が提案されている（特許文献１、特許文献２参照）。特許文献１に記載された技術は、カラオケルーム内部に設置されているカラオケ演奏装置が、現時点において演奏中か否か、さらには歌唱区間か非歌唱区間かを表示するようにしたものである。また、特許文献２に記載された技術は、カラオケ演奏装置における演奏状態を、カラオケ演奏装置にネットワーク接続された統括管理装置で管理するようにしたものである。
【０００４】
【特許文献１】特開２００５−２８３８０９号公報
【特許文献２】特開２００５−２８３８１０号公報
【発明の開示】
【発明が解決しようとする課題】
【０００５】
ところで、熟練したサービス提供者は、カラオケ演奏装置が設置された部屋の様子を室外から窺うことにより演奏中か否かを確認し、演奏後の曲間のタイミングを見計らって入室している。これにより、飲食物の提供が、歌唱の邪魔になったり、歌唱の雰囲気を損ねたりすることがない。
【０００６】
しかしながら、提供する飲食物の量が多い場合や、利用者が追加のオーダーをした場合には、サービス提供者が給仕に手間取り、次の楽曲の演奏が開始されてしまうことがある。この場合に、歌唱者にとっては、歌い始めの雰囲気が削がれるばかりでなく、歌唱に集中することができず、カラオケ演奏装置を用いた歌唱の楽しさを十分に味わうことができない。一方、サービス提供者にとっては、楽曲の演奏が開始されてしまうと、給仕を急ぐあまり飲食物をこぼしたりするおそれがあるだけではなく、演奏音及び歌唱音声に紛れてオーダー内容を聞き取ることができないおそれがある。すなわち、サービス提供者が給仕を行い、あるいはオーダーを受けている間に楽曲の演奏が開始されてしまうと、利用者及びサービス提供者の双方にとって不都合が生じてしまう。
【０００７】
本発明は、上述した事情に鑑み提案されたもので、ルームサービスの提供タイミングに応じて、楽曲の演奏開始タイミングを制御することにより、質の高いサービスを行うと共に、カラオケ演奏装置を用いた歌唱の楽しさを十分に味わうことが可能なルームサービス対応演奏制御システムを提供することを目的とする。
【課題を解決するための手段】
【０００８】
本発明のルームサービス対応演奏制御システムは、上述した目的を達成するため、以下の特徴点を有している。すなわち、本発明のルームサービス対応演奏制御システムは、ルームサービスの提供タイミングに応じて、楽曲の演奏開始タイミングを制御可能なシステムであって、通信端末信号受信手段と、演奏制御手段とを備えている。
【０００９】
通信端末信号受信手段は、予め通信が許可された通信端末からの信号を受信するための手段である。演奏制御手段は、通信端末からの信号を受信すると、次の楽曲の演奏開始を禁止すると共に、通信端末からの信号が途絶えると、次の楽曲の演奏開始を許可するための手段である。
【００１０】
また、演奏制御手段は、通信端末からの信号を受信している間の受信時間と、予め設定された曲間時間とを比較し、受信時間が曲間時間より短い場合には、曲間時間の経過を待って次の楽曲の演奏開始を許可するための手段として機能させてもよい。
【００１１】
上述した構成からなるルームサービス対応演奏制御システムでは、予め通信を許可する通信端末を設定しておく。具体的には、通信端末毎に固有に設定されたＩＤや、周波数により、通信を許可する通信端末を特定する。
【００１２】
そして、演奏制御手段の機能により、任意のカラオケ演奏装置が設置された所定のエリア（例えばカラオケボックス）内に通信端末を所持するサービス提供者が入室し、通信端末信号受信手段が通信端末からの信号を受信すると、次の楽曲の演奏開始を禁止する。また、通信端末からの信号が途絶えると、次の楽曲の演奏開始を許可する。
【００１３】
ところで、一般的なカラオケ演奏装置では、歌唱者の交代の便宜等を考慮して、任意の楽曲の演奏が終了し、次の楽曲の演奏が開始するまでに曲間時間を設定している。そこで、本発明のルームサービス対応演奏制御システムでは、通信端末からの信号を受信している間の受信時間と、予め設定された曲間時間とを比較するような構成とすることが可能である。このような構成とした場合には、演奏制御手段の機能により、受信時間と曲間時間とを比較し、受信時間が曲間時間より短い場合には、曲間時間の経過を待って次の楽曲の演奏開始を許可する。
【発明の効果】
【００１４】
本発明のルームサービス対応演奏制御システムでは、サービス提供者が所持する通信端末からの信号の受信の有無に基づいて、サービス提供者がサービスのために入室しているか否かを判断する。そして、サービス提供者がサービスのために入室している間は、次の楽曲の演奏開始を禁止する。
したがって、サービス提供者のサービスが歌唱の邪魔にならず、質の高いサービスの提供が可能であると共に、カラオケ演奏装置を用いた歌唱の楽しさを十分に味わうことが可能となる。
【発明を実施するための最良の形態】
【００１５】
＜ルームサービス対応演奏制御システムの概要＞
以下、図面を参照して、本発明のルームサービス対応演奏制御システムの実施形態を説明する。
本発明の実施形態に係るルームサービス対応演奏制御システムは、ルームサービスの提供タイミングに応じて、楽曲の演奏開始タイミングを制御可能なシステムである。このルームサービス対応演奏制御システムは、カラオケ演奏装置の付帯設備として構成される。以下に説明する実施形態では、複数の部屋を有し、各部屋にそれぞれカラオケ演奏装置が設置されており、利用者の注文に応じてルームサービスを提供しているカラオケ店舗を想定して説明を行う。
【００１６】
＜カラオケ演奏装置＞
図１は、本発明の実施形態に係るルームサービス対応演奏制御システムを適用するカラオケ演奏装置の構成を示す説明図である。
本発明の実施形態に係るルームサービス対応演奏制御システムを適用するカラオケ演奏装置１０は、図１に示すように、カラオケ本体１１、カラオケリモコン装置４１、ミキシングアンプ４２、スピーカ４３、マイクロホン４４、表示手段４５を備えている。
本実施形態のルームサービス演奏制御システムは、カラオケ本体１１の付帯設備として構成されるもので、後に詳述する通信端末信号受信手段１６及び演奏制御手段１８を主要な構成要素としている。
【００１７】
＜カラオケ本体＞
カラオケ本体１１は、中央制御手段１２、ＲＯＭ１３、ＲＡＭ１４、ＨＤＤ１５、通信端末信号受信手段１６、通信端末設定手段１７、演奏制御手段１８、送受信手段１９、予約管理手段２０、音楽再生制御手段２１、映像再生制御手段２２、バス２３を備えている。
【００１８】
＜中央制御手段＞
中央制御手段１２は、カラオケ本体１１を総合的に制御するための手段であり、例えばＣＰＵ及びその周辺機器により構成されており、ＣＰＵ等がＲＯＭ１３等に記憶されたアプリケーションプログラムに従って動作することにより、制御機能を発揮することができるようになっている。
【００１９】
＜ＲＯＭ／ＲＡＭ＞
ＲＯＭ１３は、カラオケ本体１１を構成する各機器を制御するためのアプリケーションプログラムデータや数値データを記憶するための機器で、例えば半導体メモリ等で構成される。また、ＲＡＭ１４は、アプリケーションプログラムや各種データを一時的に記憶する一時記憶領域として機能するもので、例えば半導体メモリ等で構成される。なお、物理的な半導体メモリによりＲＡＭ１４を構成するのではなく、ハードディスク記憶装置等を用いて仮想的なＲＡＭ１４を構成してもよい。本実施形態では、ＲＡＭ１４に、予約待ち行列１４ａが格納されている。
【００２０】
＜ＨＤＤ／楽曲データベース／映像データベース／通信端末管理データベース＞
ＨＤＤ１５には、楽曲データベース１５ａ、映像データベース１５ｂ、通信端末管理データベース１５ｃが格納されている。なお、ＨＤＤ１５に替えて、あるいはＨＤＤ１５と共に、データを書き替え可能なＤＶＤ等の大容量記憶装置を用いてもよい。
【００２１】
楽曲データベース１５ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。映像データベース１５ｂは、演奏される楽曲に対応した背景映像を、当該楽曲の楽曲ＩＤに対応させた映像ファイルとして所定数格納したデータベースである。
通信端末管理データベース１５ｃは、通信を許可する通信端末３０を管理するためのデータを格納したデータベースである。具体的には、通信端末３０に付与されたＩＤ、周波数等により、当該カラオケ演奏装置１０で通信を許可する通信端末３０を管理する。
【００２２】
＜音楽再生制御手段＞
音楽再生制御手段２１は、楽曲ＩＤに基づいて楽曲データベース１５ａから抽出された演奏データをデジタル再生すると共にアナログ変換してミキシングアンプ４２に出力するための電子回路である。ミキシングアンプ４２は、マイクロホン４４から入力された歌唱者の歌唱音声信号と、音楽再生制御手段２１から送出される演奏音声信号とをミキシングすると共に、アンプ機能により増幅してスピーカ４３より出力させるための装置である。なお、マイクロホン４４の数は１本に限られず、２本以上であってもよい。
【００２３】
＜映像再生制御手段／表示手段＞
映像再生制御手段２２は、カラオケ演奏中に、映像データベース１５ｂから抽出した映像データ、及び楽曲データベース１５ａから抽出した楽曲データのうちの歌詞テロップデータ（歌詞文字データ）を当該楽曲の演奏データに同期させて表示手段４５に出力するための電子回路である。さらに、映像再生制御手段２２は、カラオケリモコン装置４１を介した利用者からの操作指示による予約楽曲リストの表示等を表示手段４５に表示させる機能も有している。
表示手段４５は、カラオケ演奏時の映像、歌詞テロップ等を表示するための装置で、例えば、ＣＲＴディスプレイ、液晶ディスプレイ、プラズマディスプレイ等により構成される。
【００２４】
＜予約管理手段＞
予約管理手段２０は、利用者によりカラオケリモコン装置４１における楽曲検索手段４１ａの機能を用いて選曲され、送受信手段１９を介して送信された当該選曲者の利用者情報（例えば利用者ＩＤ）及び選曲された楽曲ＩＤを対応付けて予約待ち行列１４ａとしてＲＡＭ１４に格納し、管理するためのプログラムである。
【００２５】
＜送受信手段／通信端末信号受信手段＞
送受信手段１９は、カラオケリモコン装置４１との間でデータの送受信を行うための電子回路及びプログラムからなる。通信端末信号受信手段１６は、予め通信が許可された通信端末３０からの信号を受信するための電子回路及びプログラムからなる。
【００２６】
＜通信端末設定手段＞
通信端末設定手段１７は、通信を許可する通信端末３０を設定するためのプログラムからなり、設定結果は通信端末管理データベース１５ｃで管理される。上述したように、通信端末３０のＩＤ、周波数等により、当該カラオケ演奏装置１０で通信を許可する通信端末３０が設定される。
すなわち、カラオケ演奏装置１０で通信を許可する通信端末３０が設定されていないと、利用者が所持する通信端末が、サービス提供者が所持する通信端末３０と同様の通信方式となっている場合に、サービス提供者の入退室を適切に管理することができないためである。
【００２７】
例えば、各部屋に設置されたカラオケ演奏端末１０の通信端末管理データベース１５ｃでは、それぞれ「＊＊＊＊ａ」、「＊＊＊＊ｂ」、「＊＊＊＊ｃ」のＩＤを有する通信端末３０が登録されているものとする。この場合、各部屋では、「＊＊＊＊ａ」、「＊＊＊＊ｂ」、「＊＊＊＊ｃ」のＩＤを有する通信端末３０との通信を許可し、それ以外のＩＤを有する通信端末３０との通信を許可しない。このように、「＊＊＊＊ａ」、「＊＊＊＊ｂ」、「＊＊＊＊ｃ」のＩＤを有する通信端末３０からの信号を受信しているか否か基づき、サービス提供者の入退室を管理することにより、各部屋におけるサービス提供者の入退室を適切に管理することができる（図２参照）。
【００２８】
なお、各部屋に対応させる通信端末３０のＩＤの数は３つに限られず、１つ、２つ、あるいは４つ以上であってもよい。また、周波数により、通信を許可する通信端末３０を特定してもよい。さらに、各部屋の壁に電磁波シールドクロスを設置し、通信端末３０からの信号が到達する範囲を規制することによっても、各部屋におけるサービス提供者の入退室を適切に管理することができる。
【００２９】
＜演奏制御手段＞
演奏制御手段１８は、予め通信が許可された通信端末３０からの信号を受信すると、次の楽曲の演奏開始を禁止すると共に、当該通信端末３０からの信号が途絶えると、次の楽曲の演奏開始を許可するためのプログラムからなる。
具体的には、カラオケ店舗の各部屋を１つのエリアとしてサービス提供者の入退室を管理するようになっており、予め通信が許可された通信端末３０から発信される信号を受信している間は、次の楽曲の演奏開始を禁止し、当該通信端末３０からの信号が途絶えると、次の楽曲の演奏開始を許可するようになっている。
【００３０】
ここで、次の楽曲の演奏開始を許可する際に、サービス提供者がサービスの提供を終えて部屋のドアを閉めるまでの時間を考慮することが好ましい。すなわち、通信端末３０からの信号が途絶えたとしても、サービス提供者が部屋のドアを閉めるまでには、若干のタイムラグがある。そして、この間に次の楽曲の演奏を開始したとすると、ドアが閉まる前に演奏音等が発生することになり、演奏音等が漏れ出して他の利用者の迷惑になるおそれがある。そこで、通信端末３０からの信号が途絶えると同時に、次の楽曲の演奏開始を許可するのではなく、５秒程度の待ち時間を設定し、通信端末３０からの信号が途絶えてから当該待ち時間が経過した後に、次の楽曲の演奏開始を許可することが好ましい。勿論、このような不都合を考慮する必要がない場合には、通信端末３０からの信号が途絶えると同時に、次の曲の演奏開始を許可してもよい。
【００３１】
また、演奏制御手段１８は、通信端末３０からの信号を受信している間の受信時間と、予め設定された曲間時間とを比較し、受信時間が曲間時間より短い場合には、曲間時間の経過を待って次の楽曲の演奏開始を許可するための手段として機能させてもよい。
このような機能は、歌唱者の交代の便宜等を考慮して、任意の楽曲の演奏が終了し、次の楽曲の演奏が開始するまでに曲間時間が設定されたカラオケ演奏装置１０の場合に有効である。すなわち、受信時間が曲間時間より短い場合に、曲間時間が経過するのを待って次の楽曲の演奏開始を許可することより、歌唱者の交代等のために設定された曲間時間を確実に確保することができる。
【００３２】
＜カラオケリモコン装置＞
カラオケリモコン装置４１は、ユーザインタフェース機能を備えており、カラオケ本体１１の送受信手段１９に対して有線方式又は無線方式によりデータの送受信を行うようになっており、データの送受信を行うための回路基板及びプログラムと、楽曲検索手段４１ａとして機能させるためのプログラムと、楽曲索引データベース４１ｂと、一時記憶領域であるフラッシュメモリ（図示せず）とを備えている。
【００３３】
＜楽曲索引データベース＞
楽曲検索手段４１ａが参照する楽曲索引データベース４１ｂは、カラオケ演奏装置１０で演奏に供される楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。なお、楽曲索引データベース４１ｂの内容は、適宜なタイミングで最新のものに更新される。
【００３４】
＜通信端末＞
通信端末３０は、サービス提供者が所持して、所定の信号を発信するための装置であり、専用の通信端末３０だけではなく、例えば、携帯電話機、携帯ゲーム機等の汎用の通信端末３０を利用することができる。また、本実施形態では、上述したように、各通信端末３０を一意に特定するためのＩＤを設定しておき、各通信端末３０から発信される信号に当該ＩＤを含ませると共に、各部屋で通信を許可する通信端末３０のＩＤを予め設定している。
【００３５】
＜ルームサービス対応演奏制御＞
次に、本発明の実施形態に係るルームサービス対応演奏制御システムを用いた演奏制御について説明する。
図２は、本発明の実施形態に係るルームサービス対応演奏制御システムの具体例を示す説明図、図３は、本発明の実施形態に係るルームサービス対応演奏制御システムを用いた演奏制御を示すフローチャートである。
【００３６】
図２に示すように、カラオケ店舗の各部屋には、ルームサービス対応演奏制御システムを適用したカラオケ本体演奏装置１０（カラオケ本体１１）がそれぞれ設置されている。また、ルームサービスを行うサービス提供者は、それぞれ通信端末３０を所持している。各通信端末３０から発信される信号には、各通信端末３０を一意に特定するためのＩＤが含まれている。図２に示す例では、各部屋において、それぞれ「＊＊＊＊ａ」、「＊＊＊＊ｂ」、「＊＊＊＊ｃ」のＩＤを有する通信端末３０との通信が許可されている。
【００３７】
そして、部屋Ａでは、許可されたＩＤを有する通信端末３０からの信号を受信していないので、何ら処理は行われない。また、部屋Ｂでは、「＊＊＊＊ｂ」のＩＤを有する通信端末３０からの信号を受信しているので、次の楽曲の演奏開始を中止する。また、部屋Ｃでは、「＊＊＊＊ｃ」のＩＤを有する通信端末３０からの信号が途絶えたので、所定時間（例えば５秒）経過後に、次の楽曲の演奏を開始する。
【００３８】
本実施形態のルームサービス対応演奏制御システムを用いた演奏制御では、図３に示すように、予約待ち行列に従い楽曲を演奏し（Ｓ１）、予め設定された通信端末３０からの信号を受信したか否かを判断する（Ｓ２）。ここで、予め設定された通信端末３０からの信号を受信すると、曲間か否かを判断し（Ｓ３）、曲間でない場合には、通信端末３０からの信号が途絶えたか否かを確認する（Ｓ４）。ここで、通信端末３０からの信号が途絶えた場合には、何ら処理を行わない。一方、通信端末３０からの信号を受信し続けている場合には、曲間の判断処理（Ｓ３）へ戻る。すなわち、曲間でなければ現在の楽曲の演奏を継続し、この間に通信端末３０からの信号が途絶えてしまった場合には、次の楽曲の演奏を中止する処理は行わない。
【００３９】
また、曲間である場合には、次の楽曲の演奏開始を停止し（Ｓ５）、通信端末３０からの信号が途絶えたか否かを判断する（Ｓ６）。そして、通信端末３０からの信号が途絶えた場合には、通信端末３０からの信号を受信している間の受信時間が、予め設定された曲間時間以内であるか否かを判断する（Ｓ７）。ここで、通信端末３０からの信号を受信している間の受信時間が、予め設定された曲間時間以内であれば、当該曲間時間の経過を待って（Ｓ８）、次の楽曲の演奏開始を許可する（Ｓ９）。一方、通信端末３０からの信号を受信している間の受信時間が、予め設定された曲間時間を超えている場合には、直ちに、次の楽曲の演奏開始を許可する（Ｓ９）。なお、次の楽曲の演奏を開始する場合に、サービス提供者がサービスの提供を終えて部屋のドアを開けた後、部屋のドアが閉まるまでの時間を考慮して、例えば、５秒程度のタイムラグを設けることが好ましい。
【００４０】
また、通信端末３０からの信号を受信している間の受信時間と曲間時間とを比較判断しない場合、すなわち、曲間時間の経過を考慮しない場合には、ステップ７（Ｓ７）、ステップ８（Ｓ８）の処理は不要である。
【００４１】
＜他の実施形態＞
本発明のルームサービス対応演奏制御システム及びその周辺装置を構成する機器や手段は上述したものに限定されず、その利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
さらに、インターネット等の通信回線を介して、各カラオケ演奏装置とホスト装置とを接続して、ネットワークカラオケシステムを構築することにより、顧客情報を一元的に管理することができる。
【図面の簡単な説明】
【００４２】
【図１】本発明の実施形態に係るルームサービス対応演奏制御システムを適用するカラオケ演奏装置の構成を示す説明図。
【図２】本発明の実施形態に係るルームサービス対応演奏制御システムの具体例を示す説明図。
【図３】本発明の実施形態に係るルームサービス対応演奏制御システムを用いた演奏制御を示すフローチャート。
【符号の説明】
【００４３】
１０  カラオケ演奏装置
１１  カラオケ本体
１２  中央制御手段
１３  ＲＯＭ
１４  ＲＡＭ
１４ａ  予約待ち行列
１５  ＨＤＤ
１５ａ  楽曲データベース
１５ｂ  映像データベース
１５ｃ  通信端末管理データベース
１６  通信端末信号受信手段
１７  通信端末設定手段
１８  演奏制御手段
１９  送受信手段
２０  予約管理手段
２１  音楽再生制御手段
２２  映像再生制御手段
２３  バス
３０  通信端末
４１  カラオケリモコン装置
４１ａ  楽曲検索手段
４１ｂ  楽曲索引データベース
４２  ミキシングアンプ
４３  スピーカ
４４  マイクロホン
４５  表示手段
【図１】
2010008848.tif 000003
【図２】
2010008848.tif 000004
【図３】
2010008848.tif 000005